(57)【特許請求の範囲】
【請求項１】
内筒と外筒との間に断熱部を有する容器本体と、該容器本体の上端開口部に着脱可能に装着される口部材と、該口部材の開口部を覆う断熱部を有する蓋体とで構成される保温容器であって、前記口部材は、上部外周部には前記容器本体の外筒の開口部口縁を覆う肩部材が一体に接合されており、下端には茶漉し網を着脱自在に係合するための茶漉し網係合部を形成した筒体であり、前記蓋体に対して前記口部材のねじ部を部分的に配することにより、茶を脈動なしに流出させることを特徴とする茶漉し付保温容器。
【請求項２】
前記容器本体の上端開口部において、前記口部材を容器本体の内筒に螺合させることを特徴とする請求項１記載の茶漉し付保温容器。
【請求項３】
前記蓋体は栓体とカバー部材で形成されており、内部に断熱部が形成されていることを特徴とする請求項１又は２記載のいずれかに記載の茶漉し付保温容器。
【発明の詳細な説明】
【０００１】
【発明の属する技術分野】
本発明は、保温容器内で緑茶、うーろん茶、紅茶等の茶葉からお茶を煎じてそのまま保温することができる茶漉し付保温容器に関する。
【０００２】
【従来の技術】
一般に、茶を保温容器で保温するには、別の容器で煎じた茶を保温容器に移して保温する方法や、茶葉を入れた茶漉し網を保温容器の上部開口部に配して、茶葉に湯を注いで保温容器に茶を煎じて保温する方法、あるいは、保温容器に直接茶葉と湯を入れ、保温容器内で茶を煎じて保温する方法が採られている。
【０００３】
【発明が解決しようとする課題】
ところが、保温した茶を飲み終えた後、再び茶を保温容器で保温するには、上述の方法を繰り返す必要がある。また、保温容器に直接茶葉と湯を入れて煎じると、飲む際に茶と一緒に茶葉が口に入ることがある。
【０００４】
そこで本発明の目的は、保温容器内で煎じた茶をそのまま保温することができるとともに、飲む際に茶葉が口に入らない茶漉し付保温容器を提供することにある。
【０００５】
【課題を解決するための手段】
本発明は、内筒と外筒との間に断熱部を有する容器本体と、該容器本体の上端開口部に着脱可能に装着される口部材と、該口部材の開口部を覆う断熱部を有する蓋体とで構成される保温容器であって、前記口部材は、上部外周部には前記容器本体の外筒の開口部口縁を覆う肩部材が一体に接合されており、下端には茶漉し網を着脱自在に係合するための茶漉し網係合部を形成した筒体であり、前記蓋体に対して前記口部材のねじ部を部分的に配することにより、茶を脈動なしに流出させることを特徴とする茶漉し付保温容器である。さらに、前記容器本体の上端開口部において、前記口部材を容器本体の内筒に螺合させるものである。また、前記蓋体は栓体とカバー部材で形成されており、内部に断熱部が形成されているものである。
【０００６】
【発明の実施の形態】
以下、本発明を、図面に示す一実施形態例に基づいてさらに詳細に説明する。保温容器１は、断熱構造の容器本体２と、該容器本体２の開口部に着脱可能に装着される口部材３と、該口部材３の開口部を覆う蓋体４とで構成されている。
【０００７】
前記容器本体２は、金属製の有底内筒５及び有底外筒６の上端開口部同士を一体に接合したもので、両筒５，６の間には真空断熱構造の断熱部７が形成されている。外筒６の底部外側には、衝撃等を吸収する底部材８が取付けられている。内筒５の上端開口部よりやや下方の内周部には、口部材３を螺着するねじ部９が形成されている。なお、内筒５及び外筒６は合成樹脂製でもよく、また、断熱部７は、低熱伝導率ガスを封入した断熱構造、無機系の充填物を充填した断熱構造、若しくは発泡スチロール等の有機系の充填物を充填した断熱構造でもよい。
【０００８】
前記口部材３は、筒体１０と、該筒体１０の上部外周部に一体に接合されている肩部材１１とで構成されている。前記口部材３は、前記筒体１０が前記容器本体２内に挿入されて前記ねじ部９に螺合されることにより、前記肩部材１１が前記容器本体２の開口部口縁から外筒６の上部外周部を覆う。前記筒体１０の下端に茶漉し網係合部１２が形成されている。該係合部１２は、茶漉し網１３が着脱可能に設けられている。該茶漉し網１３は、前記係合部１２に係合可能なリング状の茶漉し網フランジ部１４と、該フランジ部１４に取付けられた４０〜６０メッシュの網１５とで構成されている。また、前記口部材３の筒体１０には、前記容器本体２の内壁に密着する止水パッキン１６を有している。前記肩部材１１は、口部材３を容器本体２に着脱するときの把持部となる。
【０００９】
前記筒体１０は、上部内周部に蓋体４が螺合するねじ部１７が形成されている。該蓋体４は、栓体１８とカバー部材１９とで構成され、これらの間には発泡スチロール等の有機系の充填物を充填した断熱部２０が形成されている。また、断熱部２０は、低熱伝導率ガスを封入した断熱構造や無機系の充填物を充填した断熱構造であってもよい。前記栓体１８の外周には、前記ねじ部１７に螺合するねじ部２１が形成されている。なお、口部材３のねじ部１７と蓋体４のねじ部２１とは、全周に亘って部分的に形成する。前記栓体１８の下端外周部には、前記口部材３の内壁に密着する止水パッキン２２を有している。また、前記蓋体４は、前記茶漉し網１３との間に空間Ｃを存して前記口部材３に係合するよう構成されている。
【００１０】
このように構成された保温容器１は、次の各方法により茶を煎じて飲むことができる。第１の方法は、口部材３に係止した茶漉し網１３に茶葉を入れ、肩部材１１を把持して口部材３を容器本体２に螺着した後に、茶漉し網１３の茶葉に湯を注いで容器本体２内に茶を煎じる。なお、茶漉し網１３の茶葉が湯に浸かるまで湯を多く注いでしまった場合は、口部材３と茶漉し網１３を容器本体２から取り外すか、あるいは茶葉が湯に浸らない程度まで湯を捨てることにより、茶葉の煎じすぎを防止できる。
【００１１】
茶を飲む時は、肩部材１１を把持して口部材３を回転することにより、口部材３、茶漉し網１３及び蓋体４を容器本体２から取り外し、容器本体２に口を付けて飲むか、あるいは容器本体２から茶碗に注いで飲む。飲み終わった後に、再び茶を煎じる場合には、蓋体４を取り外した口部材３を容器本体２に螺着して、茶漉し網１３の茶葉に湯を注ぐことにより、二番煎じ茶を煎じることができる。煎じた茶を保温又は携帯する場合には、茶漉し網１３の茶葉をそのまま保持してもよいし、茶漉し網１３の茶葉を捨てるかあるいは茶漉し網１３を口部材３から取り外し、口部材３に蓋体４を螺着して容器本体２を密閉することにより、おいしい味と香りを維持することができる。
【００１２】
第２の方法は、容器本体２に茶漉し網１３が浸かる位置まで湯を注ぐ。注ぎ量の目安として容器本体２の内壁に線を設けておくとよい。次いで、口部材３に係止した茶漉し網１３に茶葉を入れ、肩部材１１を把持して口部材３を容器本体２に螺着し、茶漉し網１３の茶葉を湯に浸して茶を煎じる。このときに、茶葉の種類によっては、口部材３に蓋体４を螺着して容器本体２を密閉し、湯の温度を維持することにより、茶葉に適した煎じ具合とすることができる。この際に、蓋体４と茶漉し網１３の間に空間Ｃがあるので、茶葉が水分を吸収して膨張しても茶葉を圧することがない。
【００１３】
煎じ具合の調整は、ちょうど良い煎じ具合の時点で、口部材３と茶漉し網１３を容器本体２から取り外すか、あるいは茶葉が湯に浸らない程度までお湯を捨てることにより、茶葉の煎じすぎを防止しておいしい味と香りを維持することができる。茶を飲む時は、上記第１の方法と同じである。また、口部材３に螺着している蓋体４は、口部材３とともに取り外すこともできる。飲み終わった後に、再び茶を煎じる場合には、容器本体２に茶漉し網４が浸かる位置まで湯を注ぎ、取り外した口部材３を容器本体２に螺着して茶漉し網１３の茶葉を湯に浸すことにより、二番煎じ茶を煎じることができる。煎じた茶を保温又は携帯する場合は、上記第１の方法と同じである。
【００１４】
第３の方法は、容器本体２内に茶葉と湯を入れて茶を煎じ、茶を飲む時に、茶漉し網１３を係合した口部材３を容器本体２に螺着し、口部材３に口を付けて飲むか、あるいは口部材３から茶碗に注いで飲む。このときに、容器本体２内の茶葉は、茶漉し網１３にて漉されるから、茶葉が口に入らずに飲むことができる。また、口部材３のねじ部１７を部分的に配することにより、茶を脈動無しに流出させることができる。さらに、湯の温度を維持しながら茶葉を煎じる場合は、容器本体２内に茶葉と湯を入れた後、口部材３と蓋体５を容器本体２に螺着して容器本体２を密閉する。飲み終わった後に、再びお茶を煎じる場合には、容器本体２に湯を注ぐことにより、容器本体２内に残った茶葉から二番煎じ茶を煎じることができる。煎じた茶を保温又は携帯する場合は、前記茶漉し網１３を係合した口部材３に蓋体４を螺着して容器本体２を密閉することにより、おいしい味と香りを維持することができる。
【００１５】
この形態例は、茶漉し網１３が口部材３に係合するから容器本体２に接触せず、容器本体２に傷がつきにくく美観を維持できる。また、口部材３の着脱は、容器本体２の外側の肩部材１１を把持して行うことができるから衛生的である。さらに、口部材３、茶漉し網１３及び蓋体５が着脱可能であるから、洗浄が容易で衛生的である。また、茶漉し網１３に４０〜６０メッシュの網を用いているから目詰まりを起こさない。
【００１６】
なお、上記実施形態例では、茶葉を煎じるのに湯を用いて説明したが、茶葉の種類によっては熱いミルク等を用いてもよい。
【００１７】
【発明の効果】
以上説明したように、本発明の茶漉し付保温容器は、断熱部を有する容器本体の上端開口部に着脱可能に装着される口部材に形成された筒体の下端に茶漉し網係合部を形成し、該係合部に茶漉し網を設けたから、保温容器内で茶を煎じてそのまま保温でき、おいしい味と香りを維持できる。また、保温容器を密閉した状態で茶葉を煎じることができるから、保温容器を密閉して湯の温度を維持することにより、茶葉に適した煎じ具合とすることができる。さらに、茶漉し網にて茶葉を漉しているから、茶葉が口に入らずに飲むことができる。また、飲み終わった後に、再びお茶を煎じる場合には、湯を注ぐだけで二番煎じ茶を煎じることができる。また、口部材のねじ部を部分的に配することにより、茶を脈動無しに流出させることができる。
【図面の簡単な説明】
【図１】  本発明の一実施形態例を示す保温容器の一部断面図である。
【図２】  茶漉し網を係止した口部材と蓋体の分解斜視図である。
【符号の説明】
１…保温容器、２…容器本体、３…口部材、４…蓋体、５…容器本体の内筒、６…容器本体の外筒、７…容器本体の断熱部、１０…口部材の筒体、１１…口部材の肩部材、１２…茶漉し網係合部、１３…茶漉し網、１６…口部材のパッキン、１７…ねじ部、１８…蓋体の栓体、１９…カバー部材、２０…蓋体の断熱部、２２…蓋体のパッキン、
【図１】
0004051692.tif 000002
【図２】
0004051692.tif 000003